(57)【要約】【課題】光ファイバケーブルの誤接続、誤抜去を防止することができ、保守作業の容易化、及びシステム監視と連携した保守作業を実現することができる波長分割多重光伝送システム、光ファイバケーブル、及び、アダプタ装置を提供する。【解決手段】光ファイバケーブル１０において、ＬＥＤ２１を備えるＬＥＤ付き光コネクタ１と、ＬＥＤ２２を備えるＬＥＤ付き光コネクタ２と、ＬＥＤ２１、２２に電圧を印加させる電気配線５とを備え、ＬＥＤ２１、ＬＥＤ２２は、接続機器３、接続機器４、システム監視装置３０からの制御信号によって電気配線５に印加される電圧に応じて、点灯する。【選択図】図１
2010028302.tif 000002
【特許請求の範囲】
【請求項１】
波長分割多重光伝送システムにおいて、
装置が備えるアダプタに嵌合されるコネクタをケーブルの両端に備える光ファイバケーブルは、
前記コネクタに設けられ、各々電圧の印加を受けて発光する発光素子と、
外部から与えられる電圧を前記発光素子に供給する供給部と
を備えることを特徴とする波長分割多重光伝送システム。
【請求項２】
前記光ファイバケーブルは、
第１の装置が出力する光信号を第２の装置に入力する第１の光ファイバと、
前記第２の装置が出力する光信号を前記第１の装置に入力する第２の光ファイバとを備え、
前記コネクタは、各々、
嵌合するアダプタを備える装置に光信号を入力する入力側コネクタ部と、
嵌合するアダプタを備える装置から出力される光信号を入力する出力側コネクタ部とを備え、
前記第１の光ファイバと、前記第２の光ファイバとは、各々、
前記コネクタのうち、いずれか一方の前記入力側コネクタ部と、他方のコネクタの出力側コネクタ部とに接続する
ことを特徴とする請求項１に記載の波長分割多重光伝送システム。
【請求項３】
前記波長分割多重光伝送システムの装置が備えるアダプタは、
前記光ファイバケーブルの前記コネクタが備える前記入力側コネクタ部から出力される光信号を入力する入力側アダプタ部と、
前記光ファイバケーブルの前記コネクタが備える前記出力側コネクタ部に光信号を出力する出力側アダプタ部とを備え、
前記装置は、
前記光ファイバケーブルが備える前記供給部に電圧を印加する電圧印加部と
を備えることを特徴とする請求項２に記載の波長分割多重光伝送システム。
【請求項４】
前記電圧印加部は、
前記アダプタに備えられ、前記光ファイバケーブルの前記コネクタの嵌合時に、前記光ファイバケーブルが備える前記供給部に電圧を印加する
ことを特徴とする請求項３に記載の波長分割多重光伝送システム。
【請求項５】
前記波長分割多重光伝送システムは、
前記光ファイバケーブルが接続する前記第１の装置と、前記第２の装置とのいずれか一方、又は、両方に接続するシステム監視装置を更に備え、
前記システム監視装置は、
前記電圧印加部に電圧の印加を要求する制御信号を前記第１の装置、又は、前記第２の装置に送信し、
前記第１の装置と、前記第２の装置とは、各々、
前記システム監視装置から受信する前記制御信号に応じて、自装置が備える前記電圧印加部に電圧を印加させる
ことを特徴とする請求項４に記載の波長分割多重光伝送システム。
【請求項６】
前記電圧印加部は、
電圧の印加時に制御信号を前記光ファイバケーブルが備える前記電気接点に出力し、他の装置が備える他の電圧印加部から出力される制御信号を受信し、
前記第１の装置と、前記第２の装置とは、各々、
前記電圧印加部が制御信号を受信した場合、前記システム監視装置に制御信号を受信したことを通知する受信通知部を備える
ことを特徴とする請求項５に記載の波長分割多重光伝送システム。
【請求項７】
波長分割多重光伝送システムにおいて、装置が備えるアダプタに嵌合するコネクタをケーブルの両端に備える光ファイバケーブルであって、
前記コネクタが、各々電圧の印加を受けて発光する発光素子を備え、
前記発光素子間を接続し、電圧を印加する電気配線と、
前記電気配線に外部から電圧を印加させる電気接点とを備える
ことを特徴とする光ファイバケーブル。
【請求項８】
コネクタが電圧の印加により発光する発光素子を備える光ファイバケーブルを備える波長分割多重光伝送システムにおいて、前記光ファイバケーブルの前記コネクタと嵌合するアダプタ装置であって、
前記光ファイバケーブルが備える発光素子に電圧を印加する電圧印加部を備える
ことを特徴とするアダプタ装置。
【発明の詳細な説明】
【技術分野】
【０００１】
本発明は、光伝送システムにおいて、ケーブルの識別を容易化する波長分割多重システム、光ファイバケーブル、及び、アダプタ装置に関する。
【背景技術】
【０００２】
近年、光伝送システムの分野において、異なる波長を波長分割多重することで、大容量光伝送を可能とする波長分割多重システムが提供されている（例えば、特許文献１）。この波長分割多重光伝送システムの波長分割多重装置内において、波長変換用光送受信機（以下、トランスポンダと称する）と合分波器とを接続するためのインタフェースとして、多くの装置が、入力用と出力用との２つのインタフェース（アダプタ）を備えている。
【０００３】
また、トランスポンダと合分波器とは、入力用の光ファイバケーブルと、出力用の光ファイバケーブルとの２本のケーブルにより、他の装置と接続する。また、この２本の光ファイバケーブルは、多重波長数に応じたケーブル本数となる。これらの光ファイバケーブルを接続する接続作業者は、接続対象のアダプタに光ファイバケーブルを接続する際、多数の光ファイバケーブルのうち、接続対象のアダプタに対応するケーブルを識別して接続することとなる。
【０００４】
図４は、光ファイバケーブルの識別方法の例を示す図である。同図に示す光ファイバケーブル１０ｃにおいて、例えば、ケーブルの一端の入力側光コネクタ６−１ｃと、他端の出力側光コネクタ７−２ｃとに、それぞれ光ファイバケーブル１０ｃであることを示す識別情報が記載されたタグ３００ｃ、３０３ｃを付す。同様に光ファイバケーブル１１ｃに、光ファイバケーブル１１ｃの識別情報が記載されたタグ３０１ｃとタグ３０２ｃとを付す。このように、各ケーブルの識別情報を記載したタグ等を用いることで、接続作業者が、いずれの波長に対応する光ファイバケーブルであるかを識別することができる。
【０００５】
また、入力側光コネクタ６−１ｃと、出力側光コネクタ７−２ｃとで、光コネクタ筐体自身に異なる色付けを行うことにより、入力側と出力側とのいずれの光コネクタであるかを識別可能とする方法もある。他の例としては、ブーツや、光ファイバ８Ａｃと光ファイバ８Ｂｃとで異なる色づけを行うことなどにより、入力用と出力用とのいずれであるか、いずれの波長のケーブルであるかを接続作業者に識別させる。
【特許文献１】特開平１１−２５２０４８号公報
【発明の開示】
【発明が解決しようとする課題】
【０００６】
しかしながら、タグを用いた識別方法において、大容量光伝送を実現する目的で多重波長数を拡大する場合、多重波長数に応じてケーブル本数が増大するため、波長分割多重装置内により広いタグ取付けスペースを確保する必要がある。これにより、多重波長数の増大によるタグ収容スペース確保のため、装置を小型化できないという問題がある。
【０００７】
また、同時に、装置内のタグや、ケーブル等の色などの数が増大するため、接続作業者が目視により識別することも難しい状態となる。これにより、隣接波長の光ファイバケーブルを取り違えることにより誤接続や誤抜去が発生したり、入力用と出力用とを取り違えることによる光ファイバケーブルの誤接続や誤抜去が発生しているという問題がある。誤抜去に関しては、光分岐・挿入装置において、誤抜去による運用中の信号への影響が大きな問題となっている。このため、ケーブル抜去時に運用中波長が導通していないことを確認、識別する必要があるため、作業に時間が掛かるという問題がある。
【０００８】
本発明は、このような事情を考慮し、上記の問題を解決すべくなされたもので、その目的は、光ファイバケーブルの誤接続、誤抜去を防止することができ、保守作業の容易化、及びシステム監視と連携した保守作業を実現することができる波長分割多重光伝送システム、光ファイバケーブル、及び、アダプタ装置を提供することにある。
【課題を解決するための手段】
【０００９】
上記問題を解決するために、本発明は、波長分割多重光伝送システムにおいて、装置が備えるアダプタに嵌合されるコネクタをケーブルの両端に備える光ファイバケーブルが、前記コネクタに設けられ、各々電圧の印加を受けて発光する発光素子と、外部から与えられる電圧を前記発光素子に供給する供給部とを備えることを特徴とする波長分割多重光伝送システムである。
【００１０】
また、本発明は、前記光ファイバケーブルが、第１の装置が出力する光信号を第２の装置に入力する第１の光ファイバと、前記第２の装置が出力する光信号を前記第１の装置に入力する第２の光ファイバとを備え、前記コネクタが、各々、嵌合するアダプタを備える装置に光信号を入力する入力側コネクタ部と、嵌合するアダプタを備える装置から光信号の出力された光信号を入力する出力側コネクタ部とを備え、前記第１の光ファイバと、前記第２の光ファイバとが、各々、前記コネクタのうち、いずれか一方の前記入力側コネクタ部と、他方のコネクタの出力側コネクタ部とに接続することを特徴とする。
【００１１】
また、本発明は、前記波長分割多重光伝送システムの装置が備えるアダプタが、前記光ファイバケーブルの前記コネクタが備える前記入力側コネクタ部から出力された光信号を入力する入力側アダプタ部と、前記光ファイバケーブルの前記コネクタが備える前記出力側コネクタ部に光信号を出力する出力側アダプタ部とを備え、前記装置が、前記光ファイバケーブルが備える前記供給部に電圧を印加する電圧印加部とを備えることを特徴とする。
【００１２】
また、本発明は、前記電圧印加部が、前記アダプタに備えられ、前記光ファイバケーブルの前記コネクタの嵌合時に、前記光ファイバケーブルが備える前記供給部に電圧を印加することを特徴とする。請求項３に記載の波長分割多重光伝送システムである。
【００１３】
また、本発明は、前記波長分割多重光伝送システムが、前記光ファイバケーブルが接続する前記第１の装置と、前記第２の装置とのいずれか一方、又は、両方に接続するシステム監視装置を更に備え、前記システム監視装置が、前記電圧印加部に電圧の印加を要求する制御信号を前記第１の装置、又は、前記第２の装置に送信し、前記第１の装置と、前記第２の装置とが、各々、前記システム監視装置から受信する前記制御信号に応じて、自装置が備える前記電圧印加部に電圧を印加させることを特徴とする。
【００１４】
また、本発明は、前記電圧印加部が、電圧の印加時に制御信号を前記光ファイバケーブルが備える前記電気接点に出力し、他の装置が備える他の電圧印加部から出力される制御信号を受信し、前記第１の装置と、前記第２の装置とが、各々、前記電圧印加部が制御信号を受信した場合、前記システム監視装置に制御信号を受信したことを通知する受信通知部を備えることを特徴とする。
【００１５】
また、本発明は、波長分割多重光伝送システムにおいて、装置が備えるアダプタに嵌合するコネクタをケーブルの両端に備える光ファイバケーブルであって、前記コネクタが、各々電圧の印加を受けて発光する発光素子を備え、前記発光素子間を接続し、電圧を印加する電気配線と、前記電気配線に外部から電圧を印加させる電気接点とを備えることを特徴とする光ファイバケーブルである。
【００１６】
また、本発明は、コネクタが電圧の印加により発光する発光素子を備える光ファイバケーブルを備える波長分割多重光伝送システムにおいて、前記光ファイバケーブルの前記コネクタと嵌合するアダプタ装置であって、前記光ファイバケーブルが備える発光素子に電圧を印加する電圧印加部を備えることを特徴とするアダプタ装置である。
【発明の効果】
【００１７】
本発明によれば、波長分割多重光伝送システムに用いられる光ファイバケーブルにおいて、両端のコネクタが、各々、電圧の印加により発光する発光素子を備えることとした。これにより、発光素子を発光させることにより、作業対象である光ファイバケーブルを作業者に知らせることが可能になるという効果がある。
【００１８】
また、本発明によれば、光ファイバケーブルが２本の光ファイバを備え、両端のコネクタがそれぞれ入力側コネクタ部と、出力側コネクタ部とを備えることにより、入出力光コネクタの一体化を行うようにした。これにより、誤接続、誤抜去の機会を半分に削減することが可能になるという効果がある。
【発明を実施するための最良の形態】
【００１９】
以下、本発明の一実施形態による波長分割多重光伝送システムを図１を参照して説明する。図１は、本実施形態による波長分割多重光伝送システムに用いられる通信線としての光ファイバケーブルの構成と、ケーブルの接続先の装置に設けられるアダプタと、システムを制御する装置としてのシステム監視装置３０との対応関係を示す概略図である。
まず、光ファイバケーブル１０の構成について説明する。光ファイバケーブル１０は、電気配線５と、一方のケーブル端にＬＥＤ（Light Emitting Diode）付き光コネクタ１と、他方のケーブル端にＬＥＤ付き光コネクタ２と、クロスさせた光ファイバ８Ａと光ファイバ８Ｂとを備える通信ケーブルであり、接続機器３と接続機器４とを接続する。
【００２０】
光ファイバケーブル１０において、ＬＥＤ付き光コネクタ１の接続先を接続機器３とし、ＬＥＤ付き光コネクタ２の接続先を接続機器４とする。
光ファイバケーブル１０において、電気配線５は、ＬＥＤ付き光コネクタ１が備えるＬＥＤ２１とＬＥＤ付き光コネクタ２が備えるＬＥＤ２２とに点灯制御信号を出力したり、電圧を印加したりする。
【００２１】
光ファイバケーブル１０において、ＬＥＤ付き光コネクタ１とＬＥＤ付き光コネクタ２とは、同様の構成であるため、符号に異なる符号末尾を付し、ＬＥＤ付き光コネクタ１を代表例としてその構成を説明する。
ＬＥＤ付き光コネクタ１は、入力側光コネクタ６−１と出力側光コネクタ７−１との２つのコネクタ部と、ＬＥＤ２１と、端子２４−１ａと、端子２４−１ｂとを備え、接続先の装置が備えるアダプタに嵌合する。
【００２２】
ＬＥＤ付き光コネクタ１が備える入力側光コネクタ６−１は、光ファイバ８Ａからの光信号を接続機器３に入力する。また、出力側光コネクタ７−１は、接続機器３から出力される光信号を光ファイバ８Ｂに出力する。
ＬＥＤ２１は、電気配線５から印加される電圧、及び、点灯制御信号により点灯する発光素子としての発光ダイオードである。
端子２４−１ａと端子２４−１ｂとは、電気配線５への電圧の印加や、点灯制御信号入力を仲介する電気接点である。
【００２３】
光ファイバケーブル１０において、光ファイバ８Ａ、８Ｂは光信号の伝送媒体となる信号線であり、ＬＥＤ付き光コネクタ１とＬＥＤ付き光コネクタ２とをクロス接続する。クロス接続の一例として、ＬＥＤ付き光コネクタ１側の入力側光コネクタ６−１に光ファイバ８Ａが接続し、出力側光コネクタ７−１に光ファイバ８Ｂが接続する。一方、ＬＥＤ付き光コネクタ２側において、入力側光コネクタ６−２に光ファイバ８Ｂが接続し、出力側光コネクタ７−２に光ファイバ８Ａが接続する。
このように、光ファイバケーブル１０において、入出力光コネクタを一体化した構成とすることにより、誤接続、誤抜去の機会を半分に削減することが可能になる。
【００２４】
上述した各構成により、光ファイバケーブル１０は、ＬＥＤ付き光コネクタ１、又は、ＬＥＤ付き光コネクタ２の少なくともいずれか一方において、電気配線５へ電圧が印加されると、ＬＥＤ２１とＬＥＤ２２との双方が点灯する。これにより、複数の光ファイバケーブル１０が多数入り組んで存在し、目視やケーブルをたどることなどにより一方のコネクタに対向するコネクタを識別することが困難である場合であっても、対応するコネクタがそれぞれ備える発光素子の双方を点灯させることで、接続作業者に容易にケーブルを識別させることが可能になるという効果がある。
【００２５】
ここで、光ファイバケーブル１０が備える電気配線５への電圧の印加、点灯制御信号の入力方法は、コネクタが備える電気接点を介して行う方法であればいずれの方法でも適用可能であり、例えば、ＬＥＤ付き光コネクタ１の端子２４−１ａと端子２４−１ｂとに、電圧、点灯制御信号を入力する電気配線（例えば、接続機器３が備える電気配線２５−３）を直接接続することでもよい。また、接続先の装置、例えば、接続機器３が備えるアダプタに、予め端子２４−１ａと端子２４−１ｂとへの電気接点端子を備えることでもよい。本実施形態においては、接続機器３、４のそれぞれが、電圧、点灯制御信号を出力する電気接点端子を備える場合を例に説明する。
【００２６】
なお、光ファイバケーブル１０が、光信号を入力する入力側光コネクタ６−１（６−２）と、光信号を出力する出力側光コネクタ７−１（７−２）とを一体化する構成にしたことにより、光ファイバケーブル１０と接続する接続機器３若しくは接続機器４において、入力用と出力用とのアダプタの物理的な位置関係が固定される。
【００２７】
なお、接続機器３と接続機器４とは同様の構成であるため、符号に異なる符号末尾を付し、接続機器３を代表例として説明する。
接続機器３は、例えば、波長分割多重光伝送システムに用いられるＳＬＴ（Subscriber Line Terminal；光加入者線端局装置）や、ＯＡＤＭ（Optical Add Drop Multiplexer；光分岐挿入装置）などの装置内部に備えられる合分波器や、トランスポンダなど、光信号を送受信する装置である。
【００２８】
接続機器３は、光ファイバケーブル１０を接続するための接続手段として、駆動スイッチ２６−３と光アダプタ９−３とを有する接続インタフェース部３００を備える。
光アダプタ９−３は、接点端子２３−３ａ、２３−３ｂと、入力側光アダプタ９６−３と、出力側光アダプタ９７−３とを備える。光アダプタ９−３は、光ファイバケーブル１０のＬＥＤ付き光コネクタと嵌合するアダプタであり、光ファイバケーブル１０のＬＥＤ付き光コネクタ２側が嵌合する装置と光信号による通信を行う。
【００２９】
光アダプタ９−３において、入力側光アダプタ９６−３は、ＬＥＤ付き光コネクタ１の入力側光コネクタ６−１と嵌合し、光ファイバケーブル１０を介して入力される接続機器４からの光信号入力を受け付ける。同様に、出力側光アダプタ９７−３は、出力側光コネクタ７−１と嵌合し、光信号を光ファイバケーブル１０を介して接続機器４へ出力する。
接点端子２３−３ａ、２３−３ｂは、ＬＥＤ付き光コネクタ１嵌合時にＬＥＤ付き光コネクタ１が備える端子２４−１ａ、２４−１ｂと電気的に導通する電気接点であり、光ファイバケーブル１０の電気配線５への電圧の印加や、点灯制御信号を入力する。
【００３０】
駆動スイッチ２６−３は、ケーブルの接続作業者の操作により、光アダプタ９−３に嵌合する光ファイバケーブル１０が備えるＬＥＤ２１、２２の点灯、消灯を切り換えるスイッチである。
また、接続機器３は、電源を備え、システム監視装置３０に接続しており、システム監視装置３０からの点灯制御信号の入力に基づき、光アダプタ９−３に接続する光ファイバケーブル１０に対し、接点端子２３−３ａ、２３−３ｂを介して電源から電気配線５に電圧の印加と、点灯制御信号の出力とを行うことにより、ＬＥＤ２１、２２を点灯させる。
【００３１】
なお、接続機器３は、ＬＥＤ２１、２２の点灯を制御する手段として、接点端子２３−３ａ、２３−３ｂのほかに、電気配線２５−３を備える構成としてもよい。
電気配線２５−３は、ＬＥＤ付き光コネクタ１の端子２４−１ａ、２４−１ｂに直接接続し、接続機器３から電気配線５へ電圧を印加し、点灯制御信号を出力する。
接続機器３が電気配線２５−３を備えることにより、接続作業者は、光アダプタ９−３に光ファイバケーブル１０のコネクタを嵌合させることなくＬＥＤ２１、２２を点灯させることが可能になるという効果がある。
【００３２】
図１において、ＬＥＤ付き光コネクタ１、２がＬＥＤ２１、２２を備え、ＬＥＤ２１、２２を点灯させることにより、抜去若しくは作業対象となる光ファイバケーブル１０のコネクタであることを接続作業者に通知することが可能になる。
また、タグや、ケーブル等への色づけ等による識別方法では、接続作業者に識別させるために一定量以上の光量が必要であり、光量が確保できない場合、ペンライト等の光源を別途用いなければならない。さらに、この場合、光源の波長特性により、ケーブル等に付与された色の反射色が通常の照明条件と異なる色となり、識別が困難となることがある。
【００３３】
上述したように、本実施形態において、光ファイバケーブル１０自身が発光素子であるＬＥＤ２１、２２を備えることにより、作業対象の装置内への光量が確保できない場合であっても、接続作業者が容易に対象の光ファイバケーブル１０を識別することが可能になるという効果がある。
また、光ファイバケーブル１０のＬＥＤ付き光コネクタ１、２は、光信号の入力側のコネクタと出力側のコネクタとを一体化したことにより、光信号の入出力を入れ違うことによる誤接続を防止することが可能になる効果がある。また、光ファイバ８Ａと光ファイバ８Ｂとの２本を１組とするため、ＬＥＤ２１、２２を点灯させるための電気配線５は、２本のファイバに対し、一対あればよいことから、ケーブル単価の上昇を抑制することが可能になる。
【００３４】
次に、上述した本発明の一実施形態による光ファイバケーブル１０の適用例について図２を用いて説明する。
図２は、異なる波長を波長分割多重することで、大容量光伝送を可能とする波長分割多重光伝送システムにおいて、波長の分割多重を行う波長分割多重装置としての端局装置１００、１０１と、波長毎に光信号の分岐・挿入を行う分岐・挿入装置としての分岐／挿入装置２００との構成の概略を示す図である。
【００３５】
同図に示す波長分割多重光伝送システムの端局装置１００は、多重する波長の数に対応するトランスポンダ４０〜４３を備える。トランスポンダ４０〜４３は、各々入力用のケーブルと、出力用のケーブルとの２本により、合分波器５０に接続する。また、合分波器５０は、入力される波長の異なる光信号を多重する多重部５１と、入力される多重光信号から各波長の光信号に分波する分波部５２とを備える。
【００３６】
また、端局装置１００は、多重光信号の光レベルを増幅し伝送路７１に送出する送信用光増幅部６１と伝送路７３から受信した多重光信号を増幅する受信用光増幅部６２を一体化した送受信光増幅器６０を備える。なお、端局装置１００と端局装置１０１とは同様の構成である。
【００３７】
分岐／挿入装置２００は、送受信光増幅器６０と合分波器５０とを端局装置１００側と端局装置１０１側とにそれぞれ備え、トランスポンダ８０とトランスポンダ８１とを備える。分岐／挿入装置２００は、伝送路７１から受信した多重光信号から特定波長光信号のみ分波しトランスポンダ８０にて受信させ、他の波長光信号は伝送路７２に送出したり、トランスポンダ８１からの特定波長光信号のみを伝送路７１から受信した多重光信号に多重し、伝送路７２に送出させる。
【００３８】
同様に、分岐／挿入装置２００は、伝送路７４から受信した多重光信号から特定波長光信号のみ分波しトランスポンダ８１にて受信させ、他の波長光信号は伝送路７３に送出したり、トランスポンダ８０からの特定波長光信号のみを伝送路７４から受信した多重光信号に多重し、伝送路７３に送出させる。
同図に示すように、端局装置１００、１０１、分岐・挿入装置２００内には、光ファイバケーブルによる接続が多数存在する。
例えば、端局装置１００のトランスポンダ４０において、信号出力用のアダプタに接続されたケーブルが合分波器５０の多重部５１に接続され、一方、光信号を受信するための信号受信用アダプタに接続されたケーブルが分波部５２に接続される。
【００３９】
ここで、トランスポンダ４０〜４３各々が入力用と出力用とのケーブルにより合分波器５０と接続するため、端局装置１００装置内に多数のケーブルが入り組んで接続された状態となる。このような状況下において、例えば、トランスポンダ４２のケーブルを交換する作業を想定する。この場合、トランスポンダ４２が備える入力用のアダプタと、出力用のアダプタとから、接続作業者がそれぞれケーブルを抜去し、新しい２本のケーブルを接続することとなる。
【００４０】
しかし、トランスポンダ４０〜４３は同様の構成であり、外観で識別することが困難であるため、隣接する波長の光信号を受信するトランスポンダ４１など、トランスポンダ４２付近に接続されているケーブルを誤抜去してしまう場合がある。また、新しいケーブルを接続する際に、入力側のアダプタと出力側のアダプタとを取り違えて接続してしまう場合がある。
【００４１】
このように、トランスポンダ４０〜４３と、合分波器５０との間のように複数のケーブルが集中するような箇所に、上述した実施形態の光ファイバケーブル１０と、光ファイバケーブル１０を接続する接続インタフェース部３００、４００とを適用する。
すなわち、トランスポンダ４０〜４３は、各々、接続インタフェース部３００を備える。また、合分波器５０は、トランスポンダ４０〜４３の数、すなわち、多重化する波長の数と同数の波長ごとの接続インタフェース部４００とを備える。そして、トランスポンダ４０〜４３各々が、１本ずつの光ファイバケーブル１０により合分波器５０と接続する。
【００４２】
このように構成することにより、トランスポンダ４０〜４３と合分波器５０との間のケーブル本数を半減させることが可能になるという効果がある。また、例えば、上述したトランスポンダ４２に接続する光ファイバケーブル１０を交換する場合、システム監視装置３０から入力される点灯制御信号や、接続インタフェース部３００が備える駆動スイッチ２６−３などにより、光ファイバケーブル１０のＬＥＤ２１、ＬＥＤ２２を点灯させることにより、接続作業者に複数のケーブルのうち、作業対象のケーブルを容易に識別させることが可能になる。
【００４３】
また、新たな光ファイバケーブル１０を接続する場合、光ファイバケーブル１０が入力用と出力用とのケーブルとを束ねた構成であることにより、入出力用のアダプタを取り違えることによる誤接続を防止することが可能である。
なお、端局装置１００において、合分波器５０と送受信光増幅器６０との間を接続するケーブルとして光ファイバケーブル１０を適用することも可能である。なお、端局装置１００と、端局装置１０１とは同様の構成であり、同様に、端局装置１０１の送受信光増幅器６０と合分波器５０との間や、合分波器５０とトランスポンダ９０〜９３との間を接続するケーブルとして、光ファイバケーブル１０を適用することが可能である。
【００４４】
また、受信する波長多重化された光信号から一部の波長の信号を抽出し、分岐させたり、受信する光信号にさらに他の波長の光信号を多重化させたりする分岐／挿入装置２００においても光ファイバケーブル１０を適用可能である。
分岐／挿入装置２００において、端局装置１００側（以下、ＷＥＳＴ側と称する）への光信号の送受信に用いる送受信光増幅器６０と合分波器５０との間や、端局装置１０１側（以下、ＥＡＳＴ側と称する）への光信号の送受信に用いる合分波器５０と送受信光増幅器６０との間に光ファイバケーブル１０を適用することが可能である。
【００４５】
また、分岐／挿入装置２００において、ＷＥＳＴ側の合分波器５０と、ＥＡＳＴ側の合分波器５０との間に光ファイバケーブル１０を適用することが可能である。ここで、同一の波長の入出力用の２本の信号線を一組とする、ケーブルペア１０−０、１０−１、１０−２、・・・、１０−３に、各々光ファイバケーブル１０を適用することとなる。
また、分岐／挿入装置２００が分岐・挿入する信号を入出力するトランスポンダ８０、８１についても同様である。すなわち、ＷＥＳＴ側の合分波器５０とトランスポンダ８０との間と、トランスポンダ８１とＥＡＳＴ側の合分波器５０との間とに、それぞれ光ファイバケーブル１０を適用することが可能である。
【００４６】
なお、上述した端局装置１００、１０１、分岐／挿入装置２００の内部において、光ファイバケーブル１０が接続する構成部は、接続する光ファイバケーブル１０と同数の接続インタフェース部３００を備える。
また、端局装置１００、分岐／挿入装置２００、端局装置１０１が、それぞれシステム監視装置３０に接続し、システム監視装置３０側から各装置が備える光ファイバケーブル１０への点灯制御信号の送信することにより、接続作業者に遠隔地から作業対象の光ファイバケーブル１０を通知することが可能である。
【００４７】
上述したように、図２において、光ファイバケーブル１０の接続作業において、抜去可能なケーブルか否か、接続先に対応した適切なケーブルか否かをＬＥＤ２１、２２の点灯により接続作業者が直接目視確認できることから、スムーズに作業を実施でき、誤抜去・誤接続を防止することが可能になるという効果がある。特に、ケーブルが密集する箇所（例えば、トランスポンダ４０〜４３と合分波器５０との間）に好適である。
また、分岐／挿入装置２００における、ケーブルの抜去作業時に、システム監視装置３０が点灯制御信号を送信することでＬＥＤ２１、２２を点灯させることにより、抜去対象光コネクタを接続作業者に事前に確認させることが容易に可能となる。
【００４８】
また、光ファイバケーブル１０のＬＥＤ付き光コネクタ１が備える入力側光コネクタ６−１、出力側光コネクタ７−１は、各々、対抗端のＬＥＤ付き光コネクタ２が備える出力側光コネクタ７−２、入力側光コネクタ６−２に接続されるように２本の光ファイバ８Ａ、８Ｂを接続するようにした。これにより、一般的な二芯双方向通信を行うリングネットワーク構成で使用される装置構成を実現する。上述の図２に示したように、ＷＥＳＴ側の合分波器５０とＥＡＳＴ側の合分波器５０との両機器間接続において、光ファイバケーブル１０を適用することにより二芯双方向通信が可能となり、分岐／挿入装置２００内に同様の構成となる２つの合分波器５０を適用することが可能になるという効果がある。
【００４９】
なお、本発明の他の実施形態として、さらに工夫した監視制御システムについて説明する。図１において、システム監視装置３０は光ファイバケーブル１０で接続された接続機器３と接続機器４とを同時監視する。そして、システム監視装置３０が接続装置３に点灯制御信号を送信し、接続機器３が点灯制御信号を送出する。光ファイバケーブル１０を介して接続されている接続機器４は、点灯制御信号を受信すると、システム監視装置３０に対し点灯制御信号を受信したことを通知する信号を送信する。
【００５０】
このようにすることで、システム監視装置３０において、光ファイバケーブル１０を介し接続されている二つの接続機器３と接続機器４との接続状況の情報を取得することが可能になる。これにより、システム監視装置３０は、確認点灯制御信号に対する応答がない場合にコネクタ外れであることと判定することや、本来通知されるべき装置以外からの通知を受信することにより、誤接続が発生していることと判定したりすることが可能になるという効果が得られる。
【００５１】
また、本発明の他の実施形態として、外部の電源装置により、光ファイバケーブル１０のＬＥＤ２１、２２を点灯させる場合について説明する。図３は、光ファイバケーブル１０に外部の電源装置により電圧が印加され、ＬＥＤ２１、２２が点灯する場合の模式図である。同図において、電源供給治具２５０−１は、光ファイバケーブル１０のＬＥＤ付き光コネクタ１が備える端子２４−１ａ、２４−１ｂに電気的に導通する電気的接点を備え、この電気的接点から光ファイバケーブル１０の電気配線５に電圧を印加してＬＥＤ２１、２２を点灯させる電源装置である。
【００５２】
例えば、図２の端局装置１００が備える合分波器５０の交換など、図３に示すパッケージの交換時などにおいて、複数の光ファイバケーブル１０の片側が開放されている場合に、開放されている側のＬＥＤ付き光コネクタ１に、上述した電源供給治具２５０−１を接続し、ＬＥＤ２１とＬＥＤ２２とを点灯させることができる。これにより、接続作業者は、開放されているＬＥＤ付き光コネクタ１に対応するＬＥＤ付き光コネクタ２の接続先のアダプタを識別することができ、新たなパッケージのいずれのアダプタに接続すべきであるかを把握することが可能になるという効果がある。
【００５３】
なお、上述した光ファイバケーブル１０が備えるＬＥＤ２１、２２は、ＬＥＤ付き光コネクタ１、２にそれぞれ１つずつ備えることとして説明したが、これに限られず、例えば、複数のＬＥＤ、特に、発光色の異なるＬＥＤなど、複数の発光素子を備えることとしてもよい。また、ＬＥＤ２１、２２は、複数の発光色を呈するようにしてもよい。
また、ＬＥＤ２１、２２における、点灯方法として、連続点灯や、点滅や、異なる点滅間隔などにより点灯させてもよい。このように、複数の発光素子の組合せや、複数の発光色、複数の点灯方法などにより、接続作業者に対し、エラーや状態などの情報を通知することが可能になる。また、このような異なる点灯方法を用いることにより、各々光ファイバケーブル１０ごとに異なる点灯方法により、複数の光ファイバケーブル１０を同時に点灯させることも可能である。
【００５４】
また、光ファイバケーブル１０のＬＥＤ付き光コネクタ１、２は、例えば、光ファイバ８Ａ、８Ｂを分岐させ、分岐先に光受光器を備えることにより、光ファイバ８Ａ、８Ｂが光信号による通信中であるか否かを判定し、ＬＥＤ２１、２２を点灯させるようにしてもよい。例えば、上述の実施形態の点灯と異なり、通信中である場合にＬＥＤ２１、２２を点灯させる場合、接続作業者に通信中のケーブルであることを通知することが可能になり、通信中の光ファイバケーブル１０の誤抜去を防止することが可能になる。また、接続先の装置が備える接続インタフェース部３００において、光アダプタ９−３が光信号の送受信中である場合にＬＥＤ２１、２２を常に点灯させるようにすることでもよい。
【００５５】
なお、上述の実施形態において、波長分割多重光伝送システムに用いられる光ファイバケーブル１０にＬＥＤ２１、２２を備えることとして説明したが、これに限られず、例えば、電源コード、ＬＡＮ（Local Area Network）ケーブルなどの通信ケーブルや、映像・音響機器などを接続するＲＣＡケーブルなどに適用することも可能である。特に、同種の複数のケーブルが密集する場合に、本発明を適用することで、接続作業者に容易にケーブルを識別させることが可能になる。
【００５６】
上述したように、ケーブルの正常接続性を確認する手段として、光ファイバケーブル１０のＬＥＤ付き光コネクタ１、２に発光素子（例えば、ＬＥＤ）を備え、接続先の装置にＬＥＤ付き光コネクタ１、２が備える発光素子の点灯を制御する構成を備えることにより、光伝送システムにおけるケーブルの誤接続、誤抜去を防止することができ、保守作業の容易化、及びシステム監視と連携した保守作業を実現する波長分割多重光伝送システムを提供することが可能になる。
【００５７】
なお、本発明に記載のアダプタは、光アダプタ９−３、９−４に対応し、本発明に記載のコネクタは、ＬＥＤ付き光コネクタ１、２に対応し、本発明に記載の光ファイバケーブルは、光ファイバケーブル１０に対応し、本発明に記載の発光素子は、ＬＥＤ２１、２２に対応し、本発明に記載の供給部は、電気配線５と、端子２４−１ａ、２４−１ｂ、２４−２ａ、２４−２ｂとの組合せに対応し、本発明に記載の第１の装置は、接続機器３に対応し、本発明に記載の第２の装置は、接続機器４に対応し、本発明に記載の第１の光ファイバは、光ファイバ８Ａに対応し、本発明に記載の第２の光ファイバは、光ファイバ８Ｂに対応し、本発明に記載の入力側コネクタ部は、入力側光コネクタ６−１、６−２に対応し、本発明に記載の出力側コネクタ部は、出力側光コネクタ７−１、７−２に対応し、本発明に記載の入力側アダプタ部は、入力側光アダプタ９６−３、９６−４に対応し、本発明に記載の出力側アダプタ部は、出力側光アダプタ９７−３、９７−４に対応し、本発明に記載の電圧印加部は、電気配線２５−１、２５−２、接点端子２３−３ａ、２３−３ｂ、２３−４ａ、２３−４ｂに対応し、本発明に記載のシステム監視装置は、システム監視装置３０に対応し、本発明に記載のアダプタ装置は、接続インタフェース部３００、接続インタフェース部４００に対応する。
【００５８】
なお、上述のシステム監視装置３０、接続機器３、及び、接続機器４は、内部にコンピュータシステムを有している。そして、システム監視装置３０、接続機器３、接続機器４の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
【００５９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
【００６０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【図面の簡単な説明】
【００６１】
【図１】本発明の一実施形態による波長分割多重光伝送システムの光ファイバケーブル１０と接続機器３と接続機器４との構成を示す図である。
【図２】同実施形態における波長分割多重光伝送システムに対する光ファイバケーブル１０の適用例を示す図である。
【図３】外部の電源装置である電源供給治具２５０−１により電圧が印加され、ＬＥＤ２１、２２が点灯する場合を示す模式図である。
【図４】一般的な光ファイバケーブルの識別方法を示す模式図である。
【符号の説明】
【００６２】
３、４、３ｃ、４ｃ  接続機器
３００、４００  接続インタフェース部
２６−３、２６−４  駆動スイッチ
９−３、９−４  光アダプタ
９６−３、９６−４、９６−３ｃ、９６−４ｃ  入力側光アダプタ
９７−３、９７−４、９７−３ｃ、９７−４ｃ  出力側光アダプタ
２３−３ａ、２３−３ｂ、２３−４ａ、２３−４ｂ  接点端子
２５−１、２５−２  電気配線
１０、１０ｃ、１１ｃ  光ファイバケーブル
１、２  ＬＥＤ付き光コネクタ
５  電気配線
６−１、６−２、６−１ｃ、６−２ｃ  入力側光コネクタ
７−１、７−２、７−１ｃ、７−２ｃ  出力側光コネクタ
８Ａ、８Ｂ、８Ａｃ、８Ｂｃ  光ファイバ
２４−１ａ、２４−１ｂ、２４−２ａ、２４−２ｂ  端子
２１、２２  ＬＥＤ
２５０−１  電源供給治具
３０  システム監視装置
１００、１０１  端局装置
２００  分岐／挿入装置
４０、４１、４２、４３、８０、８１、９０、９１、９２、９３  トランスポンダ
５０  合分波器
５１  多重部
５２  分波部
６０  送受信光増幅器
６１  送信用光増幅部
６２  受信用光増幅部
７１、７２、７３、７４  伝送路
【図１】
2010028302.tif 000003
【図２】
2010028302.tif 000004
【図３】
2010028302.tif 000005
【図４】
2010028302.tif 000006